(57)【特許請求の範囲】
【請求項１】
ユーザ機器（ＵＥ）から基地局に符号語インデックス情報を提供する方法であって、前記基地局は、Ｎｔ個の指向性アンテナを有して構成され、前記方法は、
前記ＵＥによって、推定されたブロードバンド及び／又は長期チャネル行列に従い、第１の所定の判断基準に基づいて、そのランクがｒである第１のコードブック内の第１の符号語を決定するステップであって、前記第１の符号語は、２つの偏波方向のうちの同一の偏波方向を有するアンテナ対のブロードバンド及び／又は長期チャネル特性を示し、ｒ∈｛１，２，…，Ｎｔ｝である、決定するステップと、
前記第１の符号語の符号語インデックスを前記基地局に送信するステップと、
前記ＵＥによって、サブバンドごとに、推定されたサブバンド及び／又は短期チャネル行列に従い、第２の所定の判断基準に基づいて、そのランクがｒである第２のコードブック内の第２の符号語を決定するステップであって、前記第２の符号語は、各偏波方向のおよび前記２つの偏波方向の間のサブバンド及び／又は短期チャネル特性を示す、決定するステップと、
前記第２の符号語の符号語インデックスを前記基地局に送信するステップと
を含み、前記第１の符号語は、ブロック対角行列であり、前記ブロック対角行列の対角ブロック上の行列は、Ｎｔ／２行Ｎｂ列を有する行列であり、前記Ｎｂ個の列は、Ｎ個の事前定義の離散フーリエ変換（ＤＦＴ）ベクトルから任意に選択されるＮｂ個の異なるＤＦＴベクトルであり、Ｎは、２の整数のべきであり、１≦Ｎｂ≦Ｎであり、各ＤＦＴベクトルの長さは、Ｎｔであり、
前記第２の符号語は、前記第１の符号語の列選択と前記２つの偏波方向の間のコフェージング情報とに基づいて構成され、前記第２の符号語内の各データ・ストリームに対応する各列は、前記２つの偏波方向で使用される前記ＤＦＴベクトルを前記第１の符号語内の前記Ｎｂ個の列から個別に選択する等長列選択ベクトルと、前記２つの偏波方向の間のコフェージング情報
【数１】
0006479764.tif 000033
とを含み、Ｍは、２の整数のべきであり、０≦ｍ≦Ｍ−１であり、
前記Ｎｂ個の列は、４つの列であり、第１の列および第２の列内の前記ＤＦＴベクトルと第３の列および第４の列内の前記ＤＦＴベクトルとは、隣接ベクトルであり、前記第１の列および前記第３の列内の前記ＤＦＴベクトルと前記第２の列および前記第４の列内の前記ＤＦＴベクトルとは、直交ベクトルである、方法。
【請求項２】
前記等長列選択ベクトル
【数２】
0006479764.tif 000034
は、Ｎｂ×１選択ベクトルであり、ｌ番目（１≦ｌ≦Ｎｂ）の要素が１であることを除いて、すべての他の値は０である、請求項１に記載の方法。
【請求項３】
前記ブロック対角行列の前記第１の符号語を量子化するのにＮｕ個のビットを使用するステップであって、Ｎｕは、ｌｏｇ２Ｎ以下である、使用するステップと、前記コフェージング情報を量子化するのにＮｏ個のビットを使用するステップであって、Ｎｏは、ｌｏｇ２Ｍ以下であり、同一のまたは異なる値が、異なるランクに対応するＮｏについてとられる、使用するステップと、前記等長列選択ベクトルを量子化するのにＮｅ個のビットを使用するステップであって、Ｎｅは、ｌｏｇ２Ｎｂ以下である、使用するステップとをさらに含む、請求項１に記載の方法。
【請求項４】
前記ランクが１である時には、前記第２の符号語は、１列のデータ・ストリームを有し、前記Ｎｔ個の指向性アンテナが接近して配置される時には、データ・ストリームの前記列内の、第１の偏波方向に対応する列選択ベクトルと第２の偏波方向に対応する列選択ベクトルとは、前記第１の符号語内で同一のＤＦＴベクトルを決定し、前記Ｎｔ個の直線偏波アンテナがまばらに配置される時には、データ・ストリームの前記列内の、前記第１の偏波方向に対応する列選択ベクトルと前記第２の偏波方向に対応する列選択ベクトルとは、前記第１の符号語内で直交ＤＦＴベクトルを決定する、請求項１に記載の方法。
【請求項５】
前記ランクが２である時には、前記第２の符号語は、２列のデータ・ストリームを有し、前記Ｎｔ個の直線偏波アンテナが接近して配置される時には、データ・ストリームの前記２列の各列内の２つの偏波方向にそれぞれ対応する列選択ベクトルは、前記第１の符号語内で同一のＤＦＴベクトルを決定し、各偏波方向内の２つの列選択ベクトルは、前記第１の符号語内で同一のＤＦＴベクトルまたは直交ＤＦＴベクトルを決定し、前記Ｎｔ個の直線偏波アンテナがまばらに配置される時には、データ・ストリームの前記２列の各列内の２つの偏波方向にそれぞれ対応する列選択ベクトルは、前記第１の符号語内で直交ＤＦＴベクトルを決定し、各偏波方向内の２つの列選択ベクトルは、前記第１の符号語内で同一のＤＦＴベクトルまたは直交ＤＦＴベクトルを決定する、請求項１に記載の方法。
【請求項６】
基地局によって符号語を決定する方法であって、前記符号語は、２ステージフィードバック構造を有し、前記基地局は、Ｎｔ個の指向性アンテナを有して構成され、前記方法は、
そのランクがｒである第１のコードブック内の第１の符号語のインデックスを受信するステップであって、前記第１の符号語は、２つの偏波方向のうちの同一の偏波方向を有するアンテナ対のブロードバンド及び／又は長期チャネル特性を示し、ｒ∈｛１，２，…，Ｎｔ｝である、受信するステップと、
そのランクがｒである第２のコードブック内の第２の符号語のインデックスを受信するステップであって、前記第２の符号語は、各偏波方向のおよび前記２つの偏波方向の間のサブバンド及び／又は短期チャネル特性を示す、受信するステップと、
前記第１の符号語の前記インデックスに従って、そのランクがｒである前記第１のコードブックからの前記第１の符号語を決定するステップと、
前記第２の符号語の前記インデックスに従って、そのランクがｒである前記第２のコードブックからの前記第２の符号語を決定するステップと、
前記第１の符号語および前記第２の符号語に基づいて、前記符号語を最終的に決定するステップと
を含み、前記第１の符号語は、ブロック対角行列であり、前記ブロック対角行列の対角ブロック上の行列は、Ｎｔ／２行Ｎｂ列を有する行列であり、前記Ｎｂ個の列は、Ｎ個の事前定義の離散フーリエ変換（ＤＦＴ）ベクトルから任意に選択されるＮｂ個の異なるＤＦＴベクトルであり、Ｎは、２の整数のべきであり、１≦Ｎｂ≦Ｎであり、各ＤＦＴベクトルの長さは、Ｎｔであり、
前記第２の符号語は、前記第１の符号語の列選択と前記２つの偏波方向の間のコフェージング情報とに基づいて構成され、前記第２の符号語内の各データ・ストリームに対応する各列は、前記２つの偏波方向で使用される前記ＤＦＴベクトルを前記第１の符号語内の前記Ｎｂ個の列から個別に選択する等長列選択ベクトルと、前記２つの偏波方向の間のコフェージング情報
【数３】
0006479764.tif 000035
とを含み、Ｍは、２の整数のべきであり、０≦ｍ≦Ｍ−１であり、
前記Ｎｂ個の列は、４つの列であり、第１の列および第２の列内の前記ＤＦＴベクトルと第３の列および第４の列内の前記ＤＦＴベクトルとは、隣接ベクトルであり、前記第１の列および前記第３の列内の前記ＤＦＴベクトルと前記第２の列および前記第４の列内の前記ＤＦＴベクトルとは、直交ベクトルである、方法。
【請求項７】
前記等長列選択ベクトル
【数４】
0006479764.tif 000036
は、Ｎｂ×１選択ベクトルであり、ｌ番目（１≦ｌ≦Ｎｂ）の要素が１であることを除いて、すべての他の値は０である、請求項６に記載の方法。
【請求項８】
前記ブロック対角行列の前記第１の符号語は、Ｎｕ個のビットを使用することによって量子化され、Ｎｕは、ｌｏｇ２Ｎ以下であり、Ｎｏ個のビットは、前記コフェージング情報を量子化するのに使用され、Ｎｏは、ｌｏｇ２Ｍ以下であり、同一のまたは異なる値が、異なるランクに対応するＮｏについてとられ、Ｎｅ個のビットは、前記等長列選択ベクトルを量子化するのに使用され、Ｎｅは、ｌｏｇ２Ｎｂ以下である、請求項６に記載の方法。
【請求項９】
前記ランクが１である時には、前記第２の符号語は、１列のデータ・ストリームを有し、前記Ｎｔ個の指向性アンテナが接近して配置される時には、データ・ストリームの前記列内の、第１の偏波方向に対応する列選択ベクトルと第２の偏波方向に対応する列選択ベクトルとは、前記第１の符号語内で同一のＤＦＴベクトルを決定し、前記Ｎｔ個の直線偏波アンテナがまばらに配置される時には、データ・ストリームの前記列内の、前記第１の偏波方向に対応する列選択ベクトルと前記第２の偏波方向に対応する列選択ベクトルとは、前記第１の符号語内で直交ＤＦＴベクトルを決定する、請求項６に記載の方法。
【請求項１０】
前記ランクが２である時には、前記第２の符号語は、２列のデータ・ストリームを有し、前記Ｎｔ個の直線偏波アンテナが接近して配置される時には、データ・ストリームの前記２列の各列内の２つの偏波方向にそれぞれ対応する列選択ベクトルは、前記第１の符号語内で同一のＤＦＴベクトルを決定し、各偏波方向内の２つの列選択ベクトルは、前記第１の符号語内で同一のＤＦＴベクトルまたは直交ＤＦＴベクトルを決定し、前記Ｎｔ個の直線偏波アンテナがまばらに配置される時には、データ・ストリームの前記２列の各列内の２つの偏波方向にそれぞれ対応する列選択ベクトルは、前記第１の符号語内で直交ＤＦＴベクトルを決定し、各偏波方向内の２つの列選択ベクトルは、前記第１の符号語内で同一のＤＦＴベクトルまたは直交ＤＦＴベクトルを決定する、請求項６に記載の方法。
【請求項１１】
基地局に符号語インデックスを提供するユーザ機器（ＵＥ）であって、前記基地局は、Ｎｔ個の指向性アンテナを有して構成され、前記ＵＥは、
推定されたブロードバンド及び／又は長期チャネル行列に従い、第１の所定の判断基準に基づいて、そのランクがｒである第１のコードブック内の第１の符号語を決定する第１の符号語決定手段であって、前記第１の符号語は、２つの偏波方向のうちの同一の偏波方向を有するアンテナ対のブロードバンド及び／又は長期チャネル特性を示し、ｒ∈｛１，２，…，Ｎｔ｝である、第１の符号語決定手段と、
前記第１の符号語の符号語インデックスを前記基地局に送信する第１の符号語インデックス送信手段と、
サブバンドごとに、推定されたサブバンド及び／又は短期チャネル行列に従い、第２の所定の判断基準に基づいて、そのランクがｒである第２のコードブック内の第２の符号語を決定する第２の符号語決定手段であって、前記第２の符号語は、各偏波方向のおよび前記２つの偏波方向の間のサブバンド及び／又は短期チャネル特性を示す、第２の符号語決定手段と、
前記第２の符号語の符号語インデックスを前記基地局に送信する第２の符号語インデックス送信手段と
を含み、前記第１の符号語は、ブロック対角行列であり、前記ブロック対角行列の対角ブロック上の行列は、Ｎｔ／２行Ｎｂ列を有する行列であり、前記Ｎｂ個の列は、Ｎ個の事前定義の離散フーリエ変換（ＤＦＴ）ベクトルから任意に選択されるＮｂ個の異なるＤＦＴベクトルであり、Ｎは、２の整数のべきであり、１≦Ｎｂ≦Ｎであり、各ＤＦＴベクトルの長さは、Ｎｔであり、
前記第２の符号語は、前記第１の符号語の列選択と前記２つの偏波方向の間のコフェージング情報とに基づいて構成され、前記第２の符号語内の各データ・ストリームに対応する各列は、前記２つの偏波方向で使用される前記ＤＦＴベクトルを前記第１の符号語内の前記Ｎｂ個の列から個別に選択する等長列選択ベクトルと、前記２つの偏波方向の間のコフェージング情報
【数５】
0006479764.tif 000037
とを含み、Ｍは、２の整数のべきであり、０≦ｍ≦Ｍ−１であり、
前記Ｎｂ個の列は、４つの列であり、第１の列および第２の列内の前記ＤＦＴベクトルと第３の列および第４の列内の前記ＤＦＴベクトルとは、隣接ベクトルであり、前記第１の列および前記第３の列内の前記ＤＦＴベクトルと前記第２の列および前記第４の列内の前記ＤＦＴベクトルとは、直交ベクトルである、ユーザ機器（ＵＥ）。
【請求項１２】
Ｎｔ個の指向性アンテナを有して構成された基地局であって、
そのランクがｒである第１のコードブック内の第１の符号語のインデックスを受信する第１の符号語インデックス受信手段であって、前記第１の符号語は、２つの偏波方向のうちの同一の偏波方向を有するアンテナ対のブロードバンド及び／又は長期チャネル特性を示し、ｒ∈｛１，２，…，Ｎｔ｝である、第１の符号語インデックス受信手段と、
そのランクがｒである第２のコードブック内の第２の符号語のインデックスを受信する第２の符号語インデックス受信手段であって、前記第２の符号語は、各偏波方向のおよび前記２つの偏波方向の間のサブバンド及び／又は短期チャネル特性を示す、第２の符号語インデックス受信手段と、
前記第１の符号語の前記インデックスに従って、そのランクがｒである前記第１のコードブックからの前記第１の符号語を決定する第１の符号語決定手段と、
前記第２の符号語の前記インデックスに従って、そのランクがｒである前記第２のコードブックからの前記第２の符号語を決定する第２の符号語決定手段と、
前記第１の符号語および前記第２の符号語に基づいて、符号語を最終的に決定する最終符号語決定手段と
を含み、前記第１の符号語は、ブロック対角行列であり、前記ブロック対角行列の対角ブロック上の行列は、Ｎｔ／２行Ｎｂ列を有する行列であり、前記Ｎｂ個の列は、Ｎ個の事前定義の離散フーリエ変換（ＤＦＴ）ベクトルから任意に選択されるＮｂ個の異なるＤＦＴベクトルであり、Ｎは、２の整数のべきであり、１≦Ｎｂ≦Ｎであり、各ＤＦＴベクトルの長さは、Ｎｔであり、
前記第２の符号語は、前記第１の符号語の列選択と前記２つの偏波方向の間のコフェージング情報とに基づいて構成され、前記第２の符号語内の各データ・ストリームに対応する各列は、前記２つの偏波方向で使用される前記ＤＦＴベクトルを前記第１の符号語内の前記Ｎｂ個の列から個別に選択する等長列選択ベクトルと、前記２つの偏波方向の間のコフェージング情報
【数６】
0006479764.tif 000038
とを含み、Ｍは、２の整数のべきであり、０≦ｍ≦Ｍ−１であり、
前記Ｎｂ個の列は、４つの列であり、第１の列および第２の列内の前記ＤＦＴベクトルと第３の列および第４の列内の前記ＤＦＴベクトルとは、隣接ベクトルであり、前記第１の列および前記第３の列内の前記ＤＦＴベクトルと前記第２の列および前記第４の列内の前記ＤＦＴベクトルとは、直交ベクトルである、基地局。
【発明の詳細な説明】
【技術分野】
【０００１】
本発明は、無線通信の方法および装置に関し、具体的には、無線通信システム内でチャネル状態情報（ｃｈａｎｎｅｌ  ｓｔａｔｅ  ｉｎｆｏｒｍａｔｉｏｎ、ＣＳＩ）を量子化する方法および装置に関する。
【背景技術】
【０００２】
近年に３ｒｄ  Ｇｅｎｅｒａｔｉｏｎ  Ｐａｒｔｎｅｒｓｈｉｐ  Ｐｒｏｊｅｃｔ（３ＧＰＰ）によって開始された最大の新規の技術的研究開発プロジェクトとして、Ｌｏｎｇ  Ｔｅｒｍ  Ｅｖｏｌｕｔｉｏｎ／Ｌｏｎｇ  Ｔｅｒｍ  Ｅｖｏｌｕｔｉｏｎ−Ａｄｖａｎｃｅｄ（ＬＴＥ／ＬＴＥＡ）プロジェクトは、直交周波数分割多重／周波数分割多元接続（ＯＦＤＭ／ＦＤＭＡ）技術を中核技術として採用しており、将来において、世界で最も重要な広域ブロードバンド・モバイル通信システムになる。周知の通り、ＣＳＩ量子化は、周波数分割二重（ＦＤＤ）システムにおける主要な問題である。しかし、当技術分野には多数のＬＴＥ／ＬＴＥ−Ａ標準規格バージョンがあるが、これらの標準規格バージョンのすべてが、交差偏波（ｃｒｏｓｓ  ｐｏｌａｒｉｚｅｄ）アンテナ・アレイ（ＣＬＡ）などの様々なアンテナ・アレイのＣＳＩのフィードバックという問題を十分には解決できず、これが、この技術のさらなる開発および実施を妨げている。
【発明の概要】
【発明が解決しようとする課題】
【０００３】
本発明の目的は、ＬＴＥ／ＬＴＥ−Ａの開発における問題を解決するために、アンテナ・アレイのＣＳＩを量子化する効果的な技術的解決策を提供することである。
【課題を解決するための手段】
【０００４】
本発明の一実施形態は、ユーザ機器（ＵＥ）から基地局に符号語インデックス情報を提供する方法であって、基地局は、Ｎｔ個の指向性アンテナを有して構成される、方法を提供する。この方法は、ＵＥによって、推定されたブロードバンド・チャネル行列に従い、第１の所定の判断基準に基づいて、そのランクがｒである第１のコードブック内の第１の符号語を決定するステップであって、第１の符号語は、同一の偏波方向を有するアンテナ対のブロードバンド／長期チャネル特性を示し、ｒ＝１，２，…，Ｎｔである、決定するステップと、第１の符号語の符号語インデックスを基地局に送信するステップと、ＵＥによって、サブバンドごとに、推定されたサブバンド・チャネル行列に従い、第２の所定の判断基準に基づいて、そのランクがｒである第２のコードブック内の第２の符号語を決定するステップであって、第２の符号語は、各偏波方向のおよび偏波方向の間のサブバンド／短期チャネル特性を示す、決定するステップと、第２の符号語の符号語インデックスを基地局に送信するステップとを含む。第１の符号語は、ブロック対角行列であり、ブロック対角行列の対角ブロック上の行列は、Ｎｔ／２行Ｎｂ列を有する行列であり、Ｎｂ個の列は、Ｎ個の事前定義の離散フーリエ変換（ＤＦＴ）ベクトルから任意に選択されるＮｂ個の異なるＤＦＴベクトルであり、Ｎは、２の整数のべきであり、１≦Ｎｂ≦Ｎであり、各ＤＦＴベクトルの長さは、Ｎｔである。第２の符号語は、第１の符号語の列選択と偏波方向の間のコフェージング（ｃｏ−ｐｈａｓｉｎｇ）情報とに基づいて構成され、第２の符号語内の各データ・ストリームに対応する各列は、２つの偏波方向で使用されるＤＦＴベクトルを第１の符号語内のＮｂ個の列から個別に選択する等長列選択ベクトルと、２つの偏波方向の間のコフェージング情報
【数１】
0006479764.tif 000002
とを含み、Ｍは、２の整数のべきであり、０≦ｍ≦Ｍ−１である。
【０００５】
一実施形態では、列選択ベクトル
【数２】
0006479764.tif 000003
は、Ｎｂ×１選択ベクトルであり、ｌ番目（１≦ｌ≦Ｎｂ）の要素が１であることを除いて、すべての他の値は０である。ブロック対角行列の第１の符号語は、Ｎｕ個のビットを使用することによって量子化され、Ｎｕは、ｌｏｇ２Ｎ以下であり、Ｎｏ個のビットは、コフェージング情報を量子化するのに使用され、Ｎｏは、ｌｏｇ２Ｍ以下であり、同一のまたは異なる値が、異なるランクに対応するＮｏについてとられ、Ｎｅ個のビットは、列選択ベクトルを量子化するのに使用され、各列選択ベクトルＮｅは、ｌｏｇ２Ｎｂ以下である。別の実施形態では、Ｎｂ個の列は、４つの列であり、第１の列および第２の列内のＤＦＴベクトルと第３の列および第４の列内のＤＦＴベクトルとは、隣接ベクトルであり、第１の列および第３の列内のＤＦＴベクトルと第２の列および第４の列内のＤＦＴベクトルとは、直交ベクトルである。ランクが１である時には、第２の符号語は、１列のデータ・ストリームを有し、Ｎｔ個の指向性アンテナが接近して配置される時には、データ・ストリームの列内の、第１の偏波方向に対応する列選択ベクトルと第２の偏波方向に対応する列選択ベクトルとは、第１の符号語内で同一のＤＦＴベクトルを決定し、Ｎｔ個の直線偏波アンテナがまばらに配置される時には、データ・ストリームの列内の、第１の偏波方向に対応する列選択ベクトルと第２の偏波方向に対応する列選択ベクトルとは、第１の符号語内で直交ＤＦＴベクトルを決定する。同様に、ランクが２である時には、第２の符号語は、２列のデータ・ストリームを有し、Ｎｔ個の直線偏波アンテナが接近して配置される時には、データ・ストリームの２列の各列内の２つの偏波方向にそれぞれ対応する列選択ベクトルは、第１の符号語内で同一のＤＦＴベクトルを決定し、各偏波方向内の２つの列選択ベクトルは、第１の符号語内で同一のＤＦＴベクトルまたは直交ＤＦＴベクトルを決定し、Ｎｔ個の直線偏波アンテナがまばらに配置される時には、データ・ストリームの２列の各列内の２つの偏波方向にそれぞれ対応する列選択ベクトルは、第１の符号語内で直交ＤＦＴベクトルを決定し、各偏波方向内の２つの列選択ベクトルは、第１の符号語内で同一のＤＦＴベクトルまたは直交ＤＦＴベクトルを決定する。ランクが３である時には、第２の符号語は、３列のデータ・ストリームを有し、Ｎｔ個の直線偏波アンテナが接近して配置される時には、データ・ストリームの３列の各列内の２つの偏波方向にそれぞれ対応する列選択ベクトルは、第１の符号語内で同一のＤＦＴベクトルを決定し、各偏波方向内の３つの列選択ベクトルによって第１の符号語内で決定されるＤＦＴベクトル内では、２つのベクトルが同一であり、別のベクトルがこの２つに直交し、Ｎｔ個の直線偏波アンテナがまばらに配置される時には、データ・ストリームの３列の各列内の２つの偏波方向にそれぞれ対応する列選択ベクトルは、第１の符号語内で直交ＤＦＴベクトルを決定し、各偏波方向内の３つの列選択ベクトルによって第１の符号語内で決定されるＤＦＴベクトル内では、２つのベクトルが同一であり、別のベクトルがこの２つに直交する。ランクが４である時には、第２の符号語は、４列のデータ・ストリームを有し、Ｎｔ個の直線偏波アンテ���が接近して配置される時には、データ・ストリームの４列の各列内の２つの偏波方向にそれぞれ対応する列選択ベクトルは、第１の符号語内で同一のＤＦＴベクトルを決定し、各偏波方向内の４つの列選択ベクトルによって第１の符号語内で決定されるＤＦＴベクトル内では、第１の列は、第３の列と同一であり、第２の列は、第４の列と同一であり、第１の列は、第２の列に直交し、Ｎｔ個の直線偏波アンテナがまばらに配置される時には、データ・ストリームの４列の各列内の２つの偏波方向にそれぞれ対応する列選択ベクトルは、第１の符号語内で直交ＤＦＴベクトルを決定し、各偏波方向内の４つの列選択ベクトルによって第１の符号語内で決定されるＤＦＴベクトル内では、第１の列は、第３の列と同一であり、第２の列は、第４の列と同一であり、第１の列は、第２の列に直交する。
【０００６】
対応して、本発明の一実施形態は、基地局によって符号語を決定する方法であって、方法は、そのランクがｒである第１のコードブック内の第１の符号語のインデックスを受信するステップであって、第１の符号語は、同一の偏波方向を有するアンテナ対のブロードバンド／長期チャネル特性を示し、ｒ＝１，２，…，Ｎｔである、受信するステップと、そのランクがｒである第２のコードブック内の第２の符号語のインデックスを受信するステップであって、第２の符号語は、各偏波方向のおよび偏波方向の間のサブバンド／短期チャネル特性を示す、受信するステップと、第１の符号語のインデックスに従って、そのランクがｒである第１のコードブックからの第１の符号語を決定するステップと、第２の符号語のインデックスに従って、そのランクがｒである第２のコードブックからの第２の符号語を決定するステップと、第１の符号語および第２の符号語に基づいて、符号語を最終的に決定するステップとを含む方法をさらに提供する。第１の符号語は、ブロック対角行列であり、ブロック対角行列の対角ブロック上の行列は、Ｎｔ／２行Ｎｂ列を有する行列であり、Ｎｂ個の列は、Ｎ個の事前定義のＤＦＴベクトルから任意に選択されるＮｂ個の異なるＤＦＴベクトルであり、Ｎは、２の整数のべきであり、１≦Ｎｂ≦Ｎであり、各ＤＦＴベクトルの長さは、Ｎｔである。第２の符号語は、第１の符号語の列選択と偏波方向の間のコフェージング情報とに基づいて構成され、第２の符号語内の各データ・ストリームに対応する各列は、２つの偏波方向で使用されるＤＦＴベクトルを第１の符号語内のＮｂ個の列から個別に選択する等長列選択ベクトルと、２つの偏波方向の間のコフェージング情報
【数３】
0006479764.tif 000004
とを含み、Ｍは、２の整数のべきであり、０≦ｍ≦Ｍ−１である。
【０００７】
本発明の実施形態は、それぞれ上の方法を実行することができるＵＥおよび基地局をさらに提供する。ＵＥは、推定されたブロードバンド・チャネル行列に従い、第１の所定の判断基準に基づいて、そのランクがｒである第１のコードブック内の第１の符号語を決定する第１の符号語決定手段であって、第１の符号語は、同一の偏波方向を有するアンテナ対のブロードバンド／長期チャネル特性を示し、ｒ＝１，２，…である、第１の符号語決定手段と、第１の符号語の符号語インデックスを基地局に送信する第１の符号語インデックス送信手段と、サブバンドごとに、推定されたサブバンド・チャネル行列に従い、第２の所定の判断基準に基づいて、そのランクがｒである第２のコードブック内の第２の符号語を決定する第２の符号語決定手段であって、第２の符号語は、各偏波方向のおよび偏波方向の間のサブバンド／短期チャネル特性を示す、第２の符号語決定手段と、第２の符号語の符号語インデックスを基地局に送信する第２の符号語インデックス送信手段とを含む。基地局は、そのランクがｒである第１のコードブック内の第１の符号語のインデックスを受信する第１の符号語インデックス受信手段であって、第１の符号語は、同一の偏波方向を有するアンテナ対のブロードバンド／長期チャネル特性を示し、ｒ＝１，２，…である、第１の符号語インデックス受信手段と、そのランクがｒである第２のコードブック内の第２の符号語のインデックスを受信する第２の符号語インデックス受信手段であって、第２の符号語は、各偏波方向のおよび偏波方向の間のサブバンド／短期チャネル特性を示す、第２の符号語インデックス受信手段と、第１の符号語のインデックスに従って、そのランクがｒである第１のコードブックからの第１の符号語を決定する第１の符号語決定手段と、第２の符号語のインデックスに従って、そのランクがｒである第２のコードブックからの第２の符号語を決定する第２の符号語決定手段と、第１の符号語および第２の符号語に基づいて、符号語を最終的に決定する最終符号語決定手段とを含む。
【０００８】
本発明の一実施形態は、このＵＥおよびこの基地局を含む無線通信システムをさらに提供する。
【０００９】
本発明は、交差偏波アンテナなどの一部のアンテナの配置では正確な量子化を実施できないというＬＴＥ／ＬＴＥＡの開発での問題をよりよく解決し、より少ない量子化オーバーヘッドを伴って量子化の正確さを改善する、指向性アンテナのＣＳＩを量子化することができる新規の方法および装置を提供する。
【図面の簡単な説明】
【００１０】
【図１】ＵＥ側で実行される場合の、本発明の一実施形態に従って２ステージコードブックを用いてＣＳＩを量子化する方法を示す流れ図である。
【図２】基地局側で実行される場合の、本発明の一実施形態に従って２ステージコードブックを用いてＣＳＩを量子化する方法を示す流れ図である。
【図３】本発明の一実施形態に従って２ステージコードブックを用いてＣＳＩを量子化する無線通信システムを示す概略構造ブロック図である。
【発明を実施するための形態】
【００１１】
本発明の趣旨のよりよい理解のために、下で、本発明のいくつかの例示的実施形態を参照して、さらなる説明を提供する。
【００１２】
ＬＴＥ／ＬＴＥＡシステムの開発では、基地局がＣＬＡを有して構成される時に、当業者は、ダウンリンクＭｕｌｔｉｐｌｅ  Ｕｓｅｒ−Ｍｕｌｔｉｐｌｅ  Ｉｎｐｕｔ  Ｍｕｌｔｉｐｌｅ  Ｏｕｔｐｕｔ（ＭＵ−ＭＩＭＯ）の性能が期待通りではないことに気付く。主な理由は、そのような交差偏波アンテナのＣＳＩの量子化フィードバックが、十分に正確ではないことである。
【００１３】
本発明の実施形態は、量子化の正確さを改善するために、ＣＬＡのＣＳＩの量子化の問題を解決することができる。
【００１４】
本発明の一実施形態によれば、ダウンリンクＭｕｌｔｉｐｌｅ  Ｉｎｐｕｔ  Ｍｕｌｔｉｐｌｅ  Ｏｕｔｐｕｔ（ＭＩＭＯ）システムにおいて、基地局、たとえばｅｖｏｌｖｅｄ  Ｎｏｄｅ  Ｂａｓｅ（ｅＮＢ）は、Ｎｔ個の交差偏波アンテナを備える。対応するコードブックが、ランクｒごとにそれぞれ構成され、ｒ＝０，１，…，Ｎｔである。各ランクｒのコードブックは、それぞれ第１のコードブックおよび第２のコードブックを含む２ステージコードブックである。最終的なコードブックは、ある種のルールに従って第１のコードブックおよび第２のコードブックに基づいて決定され、たとえば、あるランクの２ステージコードブック内の符号語について、第１のコードブックの符号語行列に、第２のコードブックの符号語行列を乗算する。異なるランクと最終的なコードブックを決定するルールとを有する第１のコードブック、第２のコードブック、および最終的に決定されたコードブックは、ＣＳＩを量子化するために、それぞれ基地局内およびＵＥ内で記憶される。ＵＥは、ＣＳＩを量子化するための符号語インデックスを基地局に供給し、基地局は、受信された符号語インデックスに基づいて符号語を決定して、ＣＳＩを入手する。
【００１５】
図１は、方法がＵＥ側で実行され、ＵＥから基地局に符号語インデックス情報を供給する方法である場合の、本発明の一実施形態に従って２ステージコードブックを用いてＣＳＩを量子化する方法の流れ図である。この流れ図が、本発明の実施形態を明瞭に実証するためのみのものであって、ステップの間のシーケンスを限定することが意図されていないことに留意されたい（以下でも同様）。
【００１６】
図１に示されているように、ステップ１００では、ＵＥが、推定された長い持続時間および／またはブロードバンド・チャネル行列に従い、当業者によって理解される容量最大化判断基準または距離最小化判断基準などの所定の判断基準に基づいて、そのランクがｒである第１のコードブック内の第１の符号語を決定する。第１の符号語は、ブロック対角行列であり、ブロック対角行列の対角ブロック上の行列は、Ｎｔ／２行Ｎｂ列を有する行列であり、Ｎｂ個の列は、Ｎ個の事前定義のＤＦＴベクトルから任意に選択されたＮｂ個の異なるＤＦＴベクトルであり、Ｎは２の整数のべきであり、１≦Ｎｂ≦Ｎであり、各ＤＦＴベクトルの長さは、Ｎｔである。
【００１７】
ステップ１０１では、ＵＥが、決定された第１の符号語の符号語インデックスを基地局に送信する。
【００１８】
サブバンドごとに、ステップ１０２で、ＵＥが、推定された短い持続時間および／またはサブバンド・チャネル行列に従い、所定の判断基準（所定の判断基準は、第１の符号語を決定するための所定の判断基準と同一またはこれとは異なるものとすることができ、決定された第１の符号語の情報と組み合わされる必要がある）に基づいて、そのランクがｒである第２のコードブック内の第２の符号語を決定する。第２の符号語は、第１の符号語の列選択と偏波方向の間のコフェージング情報とに基づいて構成され、第２の符号語内の各データ・ストリームに対応する各列は、２つの偏波方向で使用されるＤＦＴベクトルを第１の符号語内のＮｂ個の列から個別に選択するための等長列選択ベクトルと、２つの偏波方向の間のコフェージング情報
【数４】
0006479764.tif 000005
とを含み、Ｍは、２の整数のべきであり、０≦ｍ≦Ｍ−１である。
【００１９】
ステップ１０３では、ＵＥが、第２の符号語の符号語インデックスを基地局に送信する。
【００２０】
これに対応して、図２は、方法が基地局側で実行され、基地局によって符号語を決定する方法である場合の、本発明の一実施形態に従って２ステージコードブックを用いてＣＳＩを量子化する方法の流れ図である。
【００２１】
図２に示されているように、ステップ２００では、基地局が、そのランクがｒである第１のコードブック内の第１の符号語のインデックスを受信する。
【００２２】
ステップ２０１では、そのランクがｒである第２のコードブック内の第２の符号語のインデックスを受信する。
【００２３】
ステップ２０２では、第１の符号語のインデックスに従って、そのランクがｒである第１のコードブックからの第１の符号語を決定する。
【００２４】
ステップ２０３では、第２の符号語のインデックスに従って、そのランクがｒである第２のコードブックからの第２の符号語を決定する。
【００２５】
最終的なＣＳＩを入手するために、ステップ２０４では、基地局が、第１の符号語および第２の符号語に基づいて最終的な符号語を決定する。
【００２６】
４アンテナＣＬＡを例にとると、２ステージコードブックを使用して、ＣＳＩを量子化することができ、２ステージコードブック内の符号語は、Ｗ＝Ｗ１Ｗ２と表すことができ、ここで、Ｗ１は、同一の偏波方向を有するアンテナ対のブロードバンド／長期チャネル特性を示す、第１ステージコードブック内の第１の符号語であり、Ｗ２は、各偏波方向のおよび偏波方向の間のサブバンド／短期チャネル特性を示す、第２ステージコードブック内の第２の符号語である。
【００２７】
具体的には、Ｗ１は、ブロック対角行列であり、
【数５】
0006479764.tif 000006
である。ブロック対角行列の対角ブロック上の行列Ｖは、Ｎｔ／２×Ｎｂ行列であり、４アンテナＣＬＡについては２×Ｎｂ行列である。Ｖを、さらに、
【数６】
0006479764.tif 000007
と表すことができ、ここで、ｕ１，ｉ∈（１，…，Ｎｂ）は、Ｎ個の事前定義のＤＦＴベクトルから任意に選択されるベクトルであり、Ｎは、通常は２の整数のべきであり、Ｎｂ個の列内のベクトルは、異なる。Ｎ個の事前定義のＤＦＴベクトルは、この分野で周知の技術によって入手することができ、この技法を本明細書でもう一度説明することはしない。Ｎｕ個のビットを使用して、ブロック対角行列の第１の符号語を量子化することができ、ここで、Ｎｕは、ｌｏｇ２Ｎ以下であり、第１のコードブック内の第１の符号語の量子化オーバーヘッドである。たとえば、Ｎｂ＝４の時には、
【数７】
0006479764.tif 000008
である。
【００２８】
この実施形態では、アンテナ配置をよりよく記述するために、第１のベクトルおよび第２のベクトルならびに第３のベクトルおよび第４のベクトルは、隣接ベクトルであり、第１のベクトルおよび第３のベクトルならびに第２のベクトルおよび第４のベクトルは、直交ベクトルである。
【００２９】
Ｎに、さらに、１６をセットすることができ、
【数８】
0006479764.tif 000009
である。
【００３０】
この場合に、第１ステージコードブック内の第１の符号語は、
【数９】
0006479764.tif 000010
と定義される。
【００３１】
第２のコードブック内の第２の符号語は、第１の符号語の列選択と偏波方向の間のコフェージング情報とに基づいて構成される。第２の符号語の各列（各データ・ストリームまたはランクに対応する）は、各偏波方向で使用されるＤＦＴベクトルをＷ１内のＮｂ個の列から個別に選択するための等長列選択ベクトルと、偏波方向の間のコフェージング情報とを含む。
【００３２】
たとえば、上の４アンテナＣＬＡについて、ランクが１である時には、第２の符号語Ｗ２を、
【数１０】
0006479764.tif 000011
と表すことができ、ここで、Ｙ１およびＹ２は、それぞれ、Ｗ１内のＮｂ個の列から、第１の偏波方向で使用されるＤＦＴベクトルと第２の偏波方向で使用されるＤＦＴベクトルとを個別に選択するための第１の列選択ベクトルおよび第２の列選択ベクトルを表す。各列選択ベクトル
【数１１】
0006479764.tif 000012
は、Ｎｂ×１選択ベクトルであり、ｌ番目（１≦ｌ≦Ｎｂ）の要素が１であることを除いて、すべての他の値は０である。各列選択ベクトルを、Ｎｅを使用することによって量子化することができ、各列選択ベクトルの量子化オーバーヘッドは、ｌｏｇ２Ｎｂ以下である。２つの偏波方向の間のコフェージング情報
【数１２】
0006479764.tif 000013
を、Ｎθを使用することによって量子化することができる、すなわち、その量子化オーバーヘッドは、ｌｏｇ２Ｍビット以下である。当業者は、Ｎと同様に、Ｍが、通常は２の整数のべきであることと、コフェージング情報をどのようにして決定すべきかとを理解するに違いない。Ｎθの値が、異なるランクの場合に異なる可能性があることに留意されたい。
【００３３】
Ｍ＝４の時には、そのランクが１である第２のコードブック内の第２の符号語を、さらに、
【数１３】
0006479764.tif 000014
と表すことができる。
【００３４】
コフェージング情報の量子化オーバーヘッドは、２ビットである。
【００３５】
異なるアンテナ配置について、列選択ベクトルＹ１およびＹ２のセッティングは、異なる、すなわち、異なるアンテナ配置について異なる選択の形がある場合がある。たとえば、接近して配置された交差偏波線状アンテナ・アレイ（たとえば、アンテナ間隔が、搬送波波長の約半分）について、Ｙ１およびＹ２は、第１の符号語内で同一のベクトルを決定することができる。この実施形態では、第１の符号語内の第１のベクトルおよび第２のベクトルならびに第３のベクトルおよび第４のベクトルが隣接ベクトルであることを考慮すると、第１および第２の列選択ベクトルＹ１およびＹ２を、
【数１４】
0006479764.tif 000015
として選択することができる。
【００３６】
まばらに配置された交差偏波線状アンテナ・アレイ（たとえば、アンテナ間隔が、搬送波波長の約４倍）について、Ｙ１およびＹ２は、第１の符号語内で直交ベクトルを決定することができる。この実施形態では、第１の符号語内の第１のベクトルおよび第２のベクトルならびに第３のベクトルおよび第４のベクトルが隣接ベクトルであることを考慮すると、第１および第２の列選択ベクトルＹ１およびＹ２を、
【数１５】
0006479764.tif 000016
として選択することができる。
【００３７】
そのランクが１である第１の符号語の量子化オーバーヘッドは、２ビットのコフェージング・オーバーヘッドと２ビットの列選択オーバーヘッドとを含む。
【００３８】
ランクが２である時には、第２の符号語は、２列のデータ・ストリームを含み、第２の符号語は、
【数１６】
0006479764.tif 000017
と表され得る。
【００３９】
上で述べたように、第２の符号語の各列に含まれる列選択ベクトルＹ１、Ｙ２、Ｙ３、およびＹ４では、Ｙ１およびＹ３は、第１の偏波方向で使用されるＤＦＴベクトルをＷ１内のＮｂ個の列から個別に選択するための列選択ベクトルであり、Ｙ２およびＹ４は、第２の偏波方向で使用されるＤＦＴベクトルをＷ１内のＮｂ個の列から個別に選択するための列選択ベクトルである。各列選択ベクトル
【数１７】
0006479764.tif 000018
は、Ｎｂ×１選択ベクトルであり、ｌ番目（１≦ｌ≦Ｎｂ）の要素が１であることを除いて、すべての他の値は０である。
【００４０】
Ｍが４としてセットされ、１ビットのコフェージング情報量子化だけが行われる場合には、第２の符号語を、さらに、
【数１８】
0006479764.tif 000019
としてセットすることができる。
【００４１】
同様に、接近して配置される交差偏波線状アンテナ・アレイについて、２つの偏波方向で使用される各列（データ・ストリーム）内の列選択ベクトルＹ１、Ｙ２およびＹ３、Ｙ４は、第１の符号語内で同一のベクトルを決定することができ、２つの列（データ・ストリーム）の間の列選択ベクトルＹ１、Ｙ３およびＹ２、Ｙ４は、第１の符号語内で同一のベクトルまたは直交ベクトルを決定することができ、したがって、Ｙ１〜Ｙ４を、
【数１９】
0006479764.tif 000020
として選択することができる。
【００４２】
【数２０】
0006479764.tif 000021
は、Ｎｂ×１選択ベクトルであり、ｌ番目（１≦ｌ≦Ｎｂ）の要素が１であることを除いて、すべての他の値は０である。
【００４３】
まばらに配置される交差偏波線状アンテナ・アレイについて、２つの方向で使用される各列（データ・ストリーム）内の列選択ベクトルＹ１、Ｙ２およびＹ３、Ｙ４は、第１の符号語内で直交ベクトルを決定することができ、２つの列（データ・ストリーム）の間の列選択ベクトルＹ１、Ｙ３およびＹ２、Ｙ４は、第１の符号語内で同一のベクトルまたは直交ベクトルを決定することができ、したがって、Ｙ１〜Ｙ４を、
【数２１】
0006479764.tif 000022
として選択することができる。
【００４４】
そのランクが２である第２の符号語の量子化オーバーヘッドは、１ビットのコフェージング情報量子化オーバーヘッドと、３ビットの列選択量子化オーバーヘッドとを含む。
【００４５】
同様に、ランクが３である時には、第２の符号語は、３列のデータ・ストリームを有し、Ｎｔ個の直線偏波アンテナが、接近して配置される時には、それぞれデータ・ストリームの３つの列の各列内の２つの偏波方向に対応する列選択ベクトルは、第１の符号語内で同一のＤＦＴベクトルを決定し、各偏波方向の３つの列選択ベクトルによって第１の符号語内で決定されるＤＦＴベクトル内では、２つのベクトルが同一であり、別のベクトルは、この２つに直交する。Ｎｔ個の直線偏波アンテナがまばらに配置される時には、それぞれデータ・ストリームの３つの列の各列内の２つの偏波方向に対応する列選択ベクトルは、第１の符号語内で直交ＤＦＴベクトルを決定し、各偏波方向で３つの列選択ベクトルによって第１の符号語内で決定されるＤＦＴベクトル内では、２つのベクトルが同一であり、別のベクトルは、この２つに直交する。
【００４６】
データ・ストリームの間の関係に基づいて、第２の符号語を、
【数２２】
0006479764.tif 000023
として単純化することができ、ここで、Ｙ１〜Ｙ４は、各偏波方向での３つのデータ・ストリームに関する記述を実施するために、データ・ストリームごとおよび偏波方向ごとに１つまたは２つの異なる適当なＤＦＴベクトルを第１の符号語から個別に選択することができる。言い換えると、２つの列だけが、式の形でリストされているが、各偏波方向の２つの列選択ベクトルＹ１またはＹ３とＹ２またはＹ４とは、３つのデータ・ストリームに関する記述をも実施する、２つの異なるオプションのセッティングを有することができる。
【００４７】
具体的には、０ビットがコフェージング情報を量子化するのに使用されることを、セットすることができ、第２の符号語を、さらに、
【数２３】
0006479764.tif 000024
と表すことができる。
【００４８】
同様に、接近して配置される交差偏波線状アンテナ・アレイについて、２つの偏波方向で使用される各列（データ・ストリーム）内の列選択ベクトルＹ１、Ｙ２およびＹ３、Ｙ４は、第１の符号語内で同一のベクトルを決定することができ、Ｙ１〜Ｙ４は、
【数２４】
0006479764.tif 000025
として選択され得る。
【００４９】
【数２５】
0006479764.tif 000026
は、Ｎｂ×１選択ベクトルであり、ｌ番目（１≦ｌ≦Ｎｂ）の要素が１であることを除いて、すべての他の値は０である。
【００５０】
まばらに配置される交差偏波線状アンテナ・アレイについて、２つの偏波方向で使用される各列（データ・ストリーム）内の列選択ベクトルＹ１、Ｙ２およびＹ３、Ｙ４は、第１の符号語内で直交ベクトルを決定することができ、Ｙ１〜Ｙ４は、
【数２６】
0006479764.tif 000027
として選択され得る。
【００５１】
そのランクが３である第２の符号語の量子化オーバーヘッドは、４ビットの列選択量子化オーバーヘッドだけを含む。
【００５２】
類推によって、ランクが４である時には、第２の符号語は、４列のデータ・ストリームを有し、Ｎｔ個の直線偏波アンテナが接近して配置される時には、データ・ストリームの４列の各列内の２つの偏波方向にそれぞれ対応する列選択ベクトルは、第１の符号語内で同一のＤＦＴベクトルを決定し、各偏波方向内の４つの列選択ベクトルによって第１の符号語内で決定されるＤＦＴベクトル内では、第１の列は、第３の列と同一であり、第２の列は、第４の列と同一であり、第１の列は、第２の列に直交し、Ｎｔ個の直線偏波アンテナがまばらに配置される時には、データ・ストリームの４列の各列内の２つの偏波方向にそれぞれ対応する列選択ベクトルは、第１の符号語内で直交ＤＦＴベクトルを決定し、各偏波方向内の４つの列選択ベクトルによって第１の符号語内で決定されるＤＦＴベクトル内では、第１の列は、第３の列と同一であり、第２の列は、第４の列と同一であり、第１の列は、第２の列に直交する。
【００５３】
また、データ・ストリームの間の直交関係を考慮して、第２の符号語を
【数２７】
0006479764.tif 000028
と表すことができ、ここで、Ｙ１およびＹ２は、各偏波方向で４つのデータ・ストリームに関する記述を実施するために、データ・ストリームごとおよび偏波方向ごとに２つの異なる適当なＤＦＴベクトルを第１の符号語から個別に選択することができる。言い換えると、２つの列だけが、式の形でリストされているが、各偏波方向の２つの列選択ベクトルＹ１およびＹ２は、４つのデータ・ストリームに関する記述をも実施する２つの異なるオプションのセッティングを有することができる。
【００５４】
具体的には、１ビットがコフェージング情報を量子化するのに使用されることを、セットすることができ、第２の符号語を、さらに、
【数２８】
0006479764.tif 000029
と表すことができる。
【００５５】
接近して配置される交差偏波線状アンテナ・アレイについて、２つの偏波方向で使用される各列（データ・ストリーム）内の列選択ベクトルＹ１およびＹ２は、第１の符号語内で同一のベクトルを決定することができ、Ｙ１およびＹ２は、
【数２９】
0006479764.tif 000030
として選択され得る。
【００５６】
【数３０】
0006479764.tif 000031
は、Ｎｂ×１列選択ベクトルであり、ｌ番目（１≦ｌ≦Ｎｂ）の要素が１であることを除いて、すべての他の値は０である。
【００５７】
まばらに配置された交差偏波線状アンテナ・アレイについて、２つの偏波方向で使用される各列（データ・ストリーム）内の列選択ベクトルＹ１およびＹ２は、第１の符号語内で直交ベクトルを決定することができ、Ｙ１およびＹ２は、
【数３１】
0006479764.tif 000032
として選択され得る。
【００５８】
そのランクが４である第２の符号語の量子化オーバーヘッドは、１ビットのコフェージング情報量子化オーバーヘッドと、２ビットの列選択量子化オーバーヘッドとを含む。
【００５９】
要約すると、本発明によるＣＳＩを量子化する方法は、各ランクの第１の符号語を量子化するのに４ビットを使用することができ、第２の符号語は、４ビット量子化オーバーヘッド内で制御され得、これは、より少ない量子化オーバーヘッドを伴って量子化の正確さを改善し、貴重なアップリンク・リソースを節約する。
【００６０】
本発明の上の説明は、４アンテナ交差偏波アンテナ配置を例にとるが、当業者は、本発明によるＣＳＩを量子化する方法を、上の示唆および教示に基づいて、他のアンテナ配置に完全に適用できることを理解するに違いない。
【００６１】
さらに、図３は、本発明の一実施形態に従ってＣＳＩを量子化するＵＥおよび基地局を含む無線通信システムのブロック図である。図３に示されているように、無線通信システム内で、ＵＥ  ３０は、基地局４０に符号語インデックスを供給し、基地局４０は、ＵＥ  ３０によって供給された符号語インデックスに基づいて符号語を決定する。ＵＥ  ３０は、推定されたブロードバンド・チャネル行列に従い、第１の所定の判断基準に基づいて、そのランクがｒである第１のコードブック内の第１の符号語を決定する第１の符号語決定手段３００であって、ｒ＝１，２，…である、第１の符号語決定手段３００と、第１の符号語の符号語インデックスを基地局４０に送信する第１の符号語インデックス送信手段３０１と、サブバンドごとに、推定されたサブバンド・チャネル行列に従い、第２の所定の判断基準に基づいて、そのランクがｒである第２のコードブック内の第２の符号語を決定する第２の符号語決定手段３０２と、第２の符号語の符号語インデックスを基地局４０に送信する第２の符号語インデックス送信手段３０３とを含む。
【００６２】
対応して、基地局４０は、ＵＥ  ３０によって供給される、そのランクがｒである第１のコードブック内の第１の符号語のインデックスを受信する第１の符号語インデックス受信手段４００と、ＵＥ  ３０によって供給される、そのランクがｒである第２のコードブック内の第２の符号語のインデックスを受信する第２の符号語インデックス受信手段４０１と、第１の符号語のインデックスに従って、そのランクがｒである第１のコードブックからの第１の符号語を決定する第１の符号語決定手段４０２と、第２の符号語のインデックスに従って、そのランクがｒである第２のコードブックからの第２の符号語を決定する第２の符号語決定手段４０３と、第１の符号語および第２の符号語に基づいて、符号語を最終的に決定する最終符号語決定手段４０４とを含む。
【００６３】
技術の開発と標準規格の更新とに伴って、同一の機能を有する構成要素が、一般に異なる名前を有することに留意されたい。本発明特許出願の明細書内の技術用語は、本発明の技術的解決策を説明し、実証するのに使用され、単にその名前に従ってランダムに理解されるのではなく、当技術分野での一般的な機能に従わなければならない。
【００６４】
本発明の技術的内容および技術的特徴は、上で開示され、当業者は、それでも、本発明の教示および開示に基づいて、本発明の趣旨から逸脱せずに、様々な置換および変更を行うことができる。したがって、本発明の保護範囲は、実施形態によって開示される内容に限定されてはならず、本発明から逸脱しないすべての置換および変更を包含しなければならず、本特許出願の特許請求の範囲に従わなければならない。
【図１】
0006479764.tif 000039
【図２】
0006479764.tif 000040
【図３】
0006479764.tif 000041